(57)【要約】  【課題】  【解決手段】  眼保護デバイスが開示されている。この眼保護デバイスは、顔フレームと、レンズフレームと、このレンズフレームを顔フレームに回動可能に連結する手段を有し、レンズフレームを顔フレームに対して選択的に位置決めすることができる。【選択図】    図１
2007533399.tif 000002
【特許請求の範囲】
【請求項１】
眼保護デバイスにおいて：
開放顔フレームと；
レンズフレームと；及び
前記レンズフレームを開放顔フレームに回動可能に連結する手段と、を具え、このレンズフレームが前記開放顔フレームに対して選択的に位置決め可能であることを特徴とする眼保護デバイス。
【請求項２】
請求項１に記載の眼保護デバイスが更に、前記レンズフレームを前記顔フレームに固着する手段を具えることを特徴とする眼保護デバイス。
【請求項３】
請求項２に記載の眼保護デバイスにおいて、前記固着手段が、前記顔フレームの周辺付近に配置された一又はそれ以上の磁気エレメントと、前記レンズフレームの周辺付近に配置された対応する磁気エレメントを具えることを特徴とする眼保護デバイス。
【請求項４】
請求項１に記載の眼保護デバイスにおいて、前記顔フレームが、更に、人の頬及び鼻の上に一致するように形成されたフレーム部分に連結された額部を具えることを特徴とする眼保護デバイス。  
【請求項５】
請求項１に記載の眼保護デバイスにおいて、前記顔フレームが更に、第１及び第２の端部を有する調整可能なストラップを具え、前記調整可能なストラップの第１の端部が前記顔フレームの一部に連結されており、前記調整可能なストラップの第２の端部が前記顔フレームの反対側の部分に連結されていることを特徴とする眼保護デバイス。
【請求項６】
請求項１に記載の眼保護デバイスが更に、前記レンズフレームを前記顔フレームにシーリングする手段を具えることを特徴とする眼保護デバイス。
【請求項７】
請求項１に記載の眼保護デバイスにおいて、前記連結手段が、前記顔フレーム及びレンズフレームの中央部分の上に配置したヒンジであることを特徴とする眼保護デバイス。
【請求項８】
請求項７に記載の眼保護デバイスにおいて、前記ヒンジが第１の位置にあるときに、前記レンズフレームが前記顔フレームに接触することを特徴とする眼保護デバイス。
【請求項９】
請求項８に記載の眼保護デバイスにおいて、前記ヒンジが第２の位置にあるときに、前記レンズフレームが前記顔フレームから約４５°の角度にあり、外気の換気が増えることを特徴とする眼保護デバイス。
【請求項１０】
請求項９に記載の眼保護デバイスにおいて、前記ヒンジが第３の位置にあるときに、前記レンズフレームが前記顔フレームにほぼ垂直であることを特徴とする眼保護デバイス。
【請求項１１】
眼保護デバイスにおいて：
レンズフレームに連結されたレンズと；
ヒンジによって開放顔フレームに回動可能に連結されている前記レンズフレームであって、
当該ヒンジが第２のブラケットに回動可能に連結された第１のブラケットを具え、当該第１のブラケットが前記開放顔フレームへ及び第２のブラケットが前記レンズフレームへ、前記第１のブラケットを前記第２のブラケットに締結するのに使用される精密公差ロッド、ネジ付ハードウエア、あるいは浸透式部材によって連結されており、
前記第１のブラケットが、少なくとも２本の指と、この少なくとも２本の指の外側表面に配置した少なくとも一の連結部材を具え、
前記第２のブラケットが、レンズフレーム連結部分に連結した少なくとも二つのウエッジ型部材を具え、この少なくとも二つのウエッジ型部材が、前記第１のブラケットの指の連結部材と係合するサイズの一又はそれ以上の溝を有する曲面の底面を具える、レンズフレームと；
第１の端部と第２の端部を有する調整可能なストラップであって、前記調整可能なストラップの第１の端部が前記開放顔フレームの一部に連結されており、前記調整可能なストラップの第２の端部が前記開放顔フレームの反対側の部分に連結されている、調整可能なストラップと；
を具えることを特徴とする眼保護デバイス。
【請求項１２】
請求項１１に記載の眼保護デバイスにおいて、前記顔フレームが更に、フレーム部分に連結され、人の頬と鼻の上に合致するように構成された額部を具えることを特徴とする眼保護デバイス。
【請求項１３】
請求項１１に記載の眼保護デバイスが更に、前記顔フレームに前記レンズフレームを固着する手段を具えることを特徴とする眼保護デバイス。
【請求項１４】
請求項１３に記載の眼保護デバイスにおいて、前記固着手段が、前記顔フレームの周辺付近に位置した一またはそれ以上のマグネットと、前記レンズフレームの周辺付近に位置した対応する磁気エレメントを具えることを特徴とする眼保護デバイス。
【請求項１５】
請求項１１に記載の眼保護デバイスにおいて、前記レンズフレームを前記顔フレームにシーリングする手段を具えることを特徴とする眼保護デバイス。
【請求項１６】
請求項１１に記載の眼保護デバイスにおいて、前記第１のブラケットが一又はそれ以上の連結指をスペースを空けた関係に配置し、前記連結部材が、中央に位置する指の外側表面上に配置されていることを特徴とする眼保護デバイス。
【請求項１７】
請求項１６に記載の眼保護デバイスにおいて、前記第２のブラケットが一またはそれ以上のウエッジ型部材を有することを特徴とする眼保護デバイス。
【請求項１８】
眼保護デバイスにおいて：
レンズフレームに回動可能に連結された顔フレームと；
人の顔に係合するサイズ及び形状をした前記顔フレームであって、前記顔フレームの下側部分の上に配置した一またはそれ以上の換気ポートを有する顔フレームと；
前記顔フレームに係合するサイズ及び形状をしたレンズフレームであって、レンズに連結されている前記レンズフレームと；を具え、
前記レンズフレームがヒンジによって顔フレームに回動可能に連結されており、
前記ヒンジが第２のブラケットに回動可能に連結されている第１のブラケットを具え、前記第１のブラケットが前記顔フレームに連結されており、第２のブラケットが前記レンズフレームに連結されており、
前記第１のブラケットが少なくとも２本の指と、この少なくとも２本の指の外側表面に配置した少なくとも一の連結部材を具え、
前記第２のブラケットが、レンズフレーム連結部分に連結された少なくとも二つのウエッジ型部材を具え、前記少なくとも二つのウエッジ型部材が、前記連結部材を前記第１のブラケットの指上に係合するサイズの一又はそれ以上の溝を有する曲面の底面を有し；
前記顔フレームの周辺付近に配置した一またはそれ以上のマグネットと、前記レンズフレームの周辺付近に配置した対応するマグネットを具え；
第１の端部及び第２の端部を有する調整可能なストラップであって、前記調整可能なストラップの第１の端部が、前記顔フレームの一部に連結されており、前記調整可能なストラップの第２の端部が、前記顔フレームの反対側の部分に連結されているストラップを具える；
ことを特徴とする眼保護デバイス。
【請求項１９】
請求項１８に記載の眼保護デバイスにおいて、前記ヒンジがリビングヒンジ、埋め込み型ヒンジ、挿入型ヒンジ、接続型ヒンジ、あるいは固定型ヒンジであることを特徴とする眼保護デバイス。
【請求項２０】
請求項１８に記載の眼保護デバイスにおいて、前記ヒンジが前記顔フレームの中央部分に位置していることを特徴とする眼保護デバイス。
【請求項２１】
請求項２０に記載の眼保護デバイスにおいて、前記第１のブラケットが、スペースを空けた関係にある４本の指を具え、前記連結部材が前記中央に位置している指の外側表面に配置されていることを特徴とする眼保護デバイス。
【請求項２２】
請求項２１に記載の眼保護デバイスにおいて、前記第２のブラケットが二つのウエッジ型部材を具えることを特徴とする眼保護デバイス。
【請求項２３】
請求項２２に記載の眼保護デバイスにおいて、前記レンズフレームが、前記ヒンジが第１の位置にあるときに前記顔フレームに接触することを特徴とする眼保護デバイス。
【請求項２４】
請求項２３に記載の眼保護デバイスにおいて、前記レンズフレームが、前記ヒンジが第２の位置にあるときに前記顔フレームに対して約４５°の角度にあることを特徴とする眼保護デバイス。
【請求項２５】
請求項２４に記載の眼保護デバイスにおいて、前記レンズフレームが前記ヒンジが第３の位置にあるときに、前記顔フレームに対して略垂直であることを特徴とする眼保護デバイス。
【請求項２６】
請求項２１に記載の眼保護デバイスが更に、前記レンズフレームを前記顔フレームにシーリングする手段を具えることを特徴とする眼保護デバイス。
【発明の詳細な説明】
【技術分野】
【０００１】
本発明は、顔フレームと、レンズフレームと、レンズフレームを顔フレームに回動可能に連結する手段とを具える眼保護デバイスに関する。ここでレンズフレームは、顔フレームに対して選択的に位置決めすることができる。
【背景技術】
【０００２】
従来技術において、ゴーグル、めがね、バイザ、シールド、その他様々なタイプの眼保護デバイスが開発されている。これらのゴーグルは、限定されるものではないが、製造業や、レクリエーション目的など、様々なアプリケーションで使用することができる。レクリエーションでの使用に関しては、スキー、スノーボード、あるいはユーザが眼を保護する意図があるその他の活動用に様々なゴーグルが開発されている。従来技術では、ゴーグルの一部がパタンと上に上がり、ゴーグルのレンズ部分がユーザの視覚ラインから外れるようにしたゴーグルが開発されている。これらの取り外し可能なレンズを有する従来技術のゴーグルは便利である一方で、レンズをパタンと上に上げたときあるいは、ユーザの視覚ラインからレンズをはずしたときに、ゴーグルの一部がユーザの顔に固定されたままになるゴーグルといった、眼保護デバイスが必要とされている。
【発明の開示】
【０００３】
ここに開示されている例示的実施例は、レンズフレームと顔フレームに回動可能に連結されたレンズフレームにとりつけたレンズを有し、このレンズフレームとそれにとりつけたレンズが「パタンと上に上がる」、あるいは、ユーザの視覚ラインから外れる一方で、顔フレームはユーザの顔に残って固定されるようにした眼保護デバイスを開示している。一の例示的な実施例では、眼保護デバイスは、レンズフレームとそれにとりつけたレンズと、顔フレームと、このレンズフレームを顔フレームに回動可能に連結する手段を具え、レンズフレームが顔フレームに対して選択的に位置決め可能である。
【０００４】
別の例示的実施例では、眼保護デバイスは、レンズフレームに連結したレンズを具え、レンズフレームが顔フレームにヒンジによって回動可能に連結されている。ヒンジによって、レンズフレームは、顔フレームに対して選択的に位置決め可能である。目保護デバイスは、また、第１の端部と第２の端部を有する調整可能なストラップを具えており、この調整可能なストラップの第１の端部が顔フレームの一部に連結され、調整可能なストラップの第２の端部は、顔フレームの反対側の部分に連結されている。
【発明を実施するための最良の形態】
【０００５】
添付の図面を参照して以下に述べる詳細な説明は、本発明の現在の好ましい実施例を記載することを意図しており、本発明が構成される及び／又は利用される形を現すことのみを意図するものではない。この記載は、添付の図面を参照して、本発明の構築し動作させる機能とステップのシーケンスを説明するものである。しかしながら、同じあるいは同等の機能とシーケンスは、本発明の精神と範囲内に合致するように意図された別の実施例によって完遂できると理解される。
【０００６】
添付の図面を参照して以下に述べる詳細な説明は、例示的な実施例の説明を意図したものであり、この例示的な実施例が構築され及び／又は利用される形を現すことのみを意図するものではない。この記載は、この例示的な実施例を動作させる機能とステップのシーケンスを説明するものである。しかしながら、同じあるいは同等の機能とシーケンスは、本発明の精神と範囲内に合致するように意図された別の実施例によって完遂できると理解される。
【０００７】
図面を参照すると、図１は、眼保護デバイス１００の一の例示的実施例を示す。図１に示すように、目保護デバイス１００は、顔フレーム１０２とレンズフレーム１０１を具える。目保護デバイス１００をユーザの顔に固着させるために、調整可能なストラップ１０３が顔フレームの反対側に連結されている。レンズフレーム１０１は位置Ａ、Ｂ、及びＣにおいて、顔フレーム１０２に対して選択的に位置決めできる。位置Ａでは、レンズフレーム１０１は開放位置あるいは立上った位置にあり、レンズフレームが顔フレーム１０２に対して約９０°の角度に位置している。位置Ｂでは、レンズフレーム１０１が顔フレーム１０２に対してスペースを空けた関係にある。一実施例ではレンズフレーム１０１は顔フレームから約４５°の角度にある。位置Ｃでは、レンズフレーム１０１は、レンズフレーム１０１が顔フレーム１０２に接触する位置にある。その他の実施例では、レンズフレーム１０１は、顔フレーム１０２に対して約１°から約１８０°の間の一またはそれ以上の位置で選択的に位置決めすることができる。
【０００８】
レンズフレーム１０１が位置ＡまたはＢにあるとき、ユーザは、ユーザの顔から目保護デバイス１００を取り外すことなく、レンズ及びユーザの顔に対して追加の換気を提供することができる。別の例示的な実施例では、顔フレーム１０２からレンズフレーム１０１をパタンと上げる能力によって、ユーザはユーザの視覚ラインからレンズフレームに連結されている偏光レンズまたは暗レンズを外すことができる。また、ユーザは、目保護デバイス１００をユーザの顔から取り外すことなく、レンズの内側表面をきれいにすることができる。
【０００９】
眼保護デバイス１００は、位置Ｃにあるときに顔フレーム１０２とレンズフレーム１０１の間のスペースをシーリングする手段を具えていても良い。この手段は、図２に示すように連結接続している「舌」１０４と「溝」１０５であっても良い。その他の実施例では、この手段は、この技術において知られている、あるいは開発された、その他のシーリング手段であっても良い。当業者には、連結接続している「舌」１０４と「溝」１０５を、剛性、エラストマ、発泡、または二つの面間に連結関係を作るのに好適なその他の材料で作っても良いことは自明である。
【００１０】
図１Ａに示すように、レンズフレーム１０１と顔フレーム１０２は、対応する連結接続している舌１０４と溝１０５を有する。一の実施例では、舌部１０４または延長リッジがレンズフレーム１０１上に設けられており、対応する溝１０５が顔フレーム１０２の上に設けられている。代替の実施例では、舌部１０４が顔フレーム１０２に設けられており、溝１０５部がレンズフレーム１０１に設けられている。顔フレーム１０２とレンズフレーム１０１の周辺に設けられている連結接続している舌１０４と溝１０５は、水分、雪、埃、及びその他のデブリスが眼保護デバイス１００の内部に入ってこないようにする。
【００１１】
図２は、眼保護デバイス１００を示す図であり、ここでは、レンズフレーム１０１が顔フレーム１０２に実質的に垂直である。図２に示すように、顔フレーム１０２は、ほぼ水平に延在する額部を具える。この額部は、ユーザの頬と鼻の上に合致するサイズのほぼアーチ型形状の底に連結されているか、あるいはこの底と一体的に形成されている。更に、顔フレーム１０２は、顔フレーム１０２の周辺付近に配置した複数の孔２０５を具える。図２に示すように、換気ポート２０５は、顔フレーム１０２の下側部分に配置されている。代替の実施例では、換気ポート２０５を、顔フレーム１０２の上端に配置してもよい。更に別の実施例では、換気ポート２０５を、顔フレーム１０２の上端と底の両方に配置してもよい。
【００１２】
別の実施例では、換気ポート２０５は、顔フレーム１０２の側部に配置されている。更に別の実施例では、この顔フレーム１０３の側部の換気ポートを、顔フレームの上端、底、あるいはこれらの組み合わせに配置された換気ポート２０５と組み合わせることができる。換気ポート２０５は、ゴーグルの内部に空気を入れる一方で、空気の流れをレンズの内部側に向けることでレンズが曇らないように設計されている。
【００１３】
図２に示すように、顔フレーム１０２は、顔フレーム１０２の周辺付近に配置された複数のマグネット２０４を具えている。更に、レンズフレーム１０１は、顔フレーム上のマグネット２０４と係合する対応するマグネット２０７を具えている。別の実施例では、顔フレーム材料１０２を磁化してレンズフレーム材料１０１を引きつけるようにしている。ここでは、レンズフレームが金属インサートを有する。別の実施例では、レンズフレーム１０１が対応する金属インサートを有しており、対応するマグネットを引きつけるようにしている。更に別の実施例では、顔フレーム材料１０２が磁化されており、レンズフレーム材料１０１を引きつけるようにしている。従って、マグネット２０４、２０７は、閉位置Ｃにある顔フレーム１０２にレンズフレーム１０１を固着している。すなわち、マグネット２０４、２０７は、レンズフレーム１０１が偶発的に眼保護デバイス１００の顔フレーム１０２から外れたり、離れたりしないようにしている。図２に示すように、マグネット２０４、２０７はほぼ円形をしているが、マグネット２０４、２０７が複数の形状及びサイズを有してもよいことは当業者には自明である。その他の実施例では、マグネット２０４、２０７は、顔フレーム１０１及びレンズフレーム１０２の周辺付近の、図２に示す位置とは異なる位置に配置されている。限定するものではないが、マグネットとマグネット、マグネットと金属、磁性体含浸プラスチック、及びこの分野で知られているあるいは開発されているその他あらゆるタイプの磁力など、様々な引きつける手段を提供することによって、反対にレンズフレーム１０１を顔フレーム１０２に固着することができることは当業者には自明である。
【００１４】
図２に示すように、眼保護デバイス１００はまた、ヒンジ２０３を具えている。図２の実施例に示すように、ヒンジ２０３は顔フレーム１０２の上端部とレンズフレーム１０１の対応する部分に、取り付けられているか、あるいは埋め込まれていても良い。一の例示的な実施例では、ヒンジ２０３は、顔フレーム１０２の中央に配置されていてもよい。別の実施例では、ヒンジ２０３は、顔フレーム１０２の一方の側へオフセットされていてもよい。更に別の実施例では、眼保護デバイス１００は、顔フレーム１０２に配置した一またはそれ以上のヒンジ２０３を有していてもよい。例えば、一の実施例では、ヒンジ２０３は、顔フレーム１０２の端部に配置されていてもよい。別の実施例では、ヒンジ２０３は、顔フレーム１０２の上端部の中央に配置されていてもよい。更に別の実施例では、ヒンジは、眼保護デバイス１００のフレーム１０１と１０２の両方の材料でなるリビングヒンジであってもよい。ヒンジは、この分野で知られているあるいは開発されたリビングヒンジ、埋め込み型ヒンジ、挿入型ヒンジ、接続型ヒンジ、固定ヒンジであっても良い。
【００１５】
図３を参照すると、ヒンジ２０３は、第１のブラケット３００と第２のブラケット３０１でできている。第１のブラケット３００は、眼保護デバイス１００のレンズフレーム１０１に連結されている。第２のブラケット３０１は眼保護デバイス１００の顔フレーム１０２に固定されている。図３は、図１の位置Ｃに示すように、レンズフレーム１０１が顔フレーム１０２に対して閉じた位置にあるときのヒンジ２０３を示す。
【００１６】
第１のブラケット３００は、レンズフレーム連結部分３０６と関節式のウエッジ型部材３０２を具える。図３に示すように、レンズフレーム連結部分３０６とウエッジ型部材３０２は一体構造をしている。別の実施例では、連結部分３０６とウエッジ型部材３０２は、互いに固定された別部材であっても良い。ウエッジ型部材３０２は、曲面状底部３０８を有するほぼ平坦な構造体である。ウエッジ型部材３０２は、連結部材３０５に係合するサイズの曲面３０８に沿ってスペースを空けて配置した複数の、一またはそれ以上の溝３０３、３０７を有する。
【００１７】
図６に示すように、第１のブラケット３００は、二つのレンズフレーム連結構造体３０６と複数のウエッジ型部材３０２を具える任意数の連結構造体を具える。別の実施例では、第１のブラケット３００は、複数のウエッジ型部材３０２に固定された一のフレーム連結構造体３０６を有していてもよい。別の実施例では、第１のブラケット３００は、図６に示すように二つのウエッジ型部材３０２を具えていてもよい。その他の実施例では、第１のブラケット３００は、一またはそれ以上のウエッジ型部材３０２を具えていてもよい。
【００１８】
図６に示すように、第２のブラケット３０１は、少なくとも二つの指６００を具える。指６００は、スペースを空けて配置されており、第１のブラケット３００のウエッジ型部材３０２と共に相互に織り込まれている。第２のブラケット３０１も、少なくとも２本の指６００の外側表面から延在している連結部材３０５を具える。図６に示すように、第２のブラケット３０１の指６００は、一般的にスペースを空けて配置されており、第１のブラケット３００のウエッジ型部材３０２と係合するサイズである。これらの連結部材３０５は、ウエッジ型部材３０２の上に設けられている溝３０３、３０７と係合している。連結部材３０５が溝３０３、３０７に係合されているときに、レンズフレーム１０１は、顔フレーム１０２に対してある位置にロックされる。図３に示すように、第１のブラケット３００と第２のブラケット３０１は、ピボットポイント３０４において、互いに回動可能に連結されている。
【００１９】
図４は、レンズフレーム１０１が図１に示す位置Ｂにあるときのヒンジ２０３を示す図である。ヒンジ２０３は、連結部材３０５が、第１のブラケット３００のウエッジ型部材部分３０２上の曲面３０８の上に位置する溝３０３に係合する時に、ロックされる。第１のブラケット３００は、溝３０３と３０７が部材３０５の突出部材を受けるまで、ピボットポイント３０４の周りを回転する。
【００２０】
図５は、完全に開いた位置（図１の位置Ａ）におけるヒンジ２０３を示す。曲面部分３０８の端部は、連結部材３０５を越えて回動し、ウエッジ型部材３０２のコーナが連結部材３０５の上に位置する。当業者には自明なように、ヒンジ２０３は、複数の溝３０３を有しており、レンズフレーム１０１がウエッジ型部材３０２の曲面部分３０８に沿って様々な地点に開くことができるようにしている。ヒンジ２０３によって、ユーザはレンズフレーム１０１を顔フレーム１０２に対して移動させ、レンズフレーム１０１を顔フレーム１０２からの様々な位置でロックすることができる。
【００２１】
図６に示すように、ヒンジ２０３は、第１のブラケット３００と第２のブラケット３０１を具える。第１のブラケット３００と第２のブラケット３０１の様々な部材３０２、６００は、それぞれ、ピボットポイント３０４にて相互に織り込まれ、連結されている。第１及び第２のブラケットの各部材３０２、６００が、互いに近接し、非常に小さいクリアランスを有していても良く、あるいはこのクリアランスがなくてもよい。この小さなクリアランスによって、連結部材３０５が、第２のブラケット３０１の指６００から延在する比較的小さい突出部となっても良い。
【００２２】
更に別の実施例では、ヒンジ２０３は、埋め込まれているか、又は各フレームに対して固定されていてもよい。更に別の実施例では、ヒンジ２０３は、レンズとレンズフレーム１０１を顔フレーム１０２から取り外すことができるように構成されている。更に、当業者には明らかなとおり、ヒンジ２０３は、割り出しする必要がない。
【００２３】
使用に際して、眼保護デバイス１００は、人がエレメント、デブリス、あるいは対象物から目を保護する必要がある、無数の活動に用いられる。例えば、眼保護デバイス１００は、限定されるものではないが、スキー、スノーボード、スノーモービル、雪靴、クロスカントリィスキー、あるいはその他の冬の活動に使用することができる。代替的に、限定するものではないが、モトクロス、レーシングカー運転、その他などのモータースポーツ用に使用することができる。当業者には、個人ユーザがその目を所望するこれらの活動にここに開示した眼保護デバイス１００を利用することができることは自明である。
【００２４】
閉じる際に、ここに述べた実施例が、例示的な実施例の原理を説明するものであると解される。従って、限定するものではないが、例示によって、代替の形状あるいは変形例をここに述べた教示に従って利用することができる。従って、図面と記載は、説明的なものであり、これを限定することを意味していない。
【００２５】
本発明は、特定の実施例に関連して説明されているが、本発明の追加の変形例は、本発明の概念から外れることなく、発明することができる。
【図面の簡単な説明】
【００２６】
【図１】図１は、眼保護デバイスの例示的な実施例の斜視図であり、レンズフレームが顔フレームに対して選択的に位置決め可能である。
【図１Ａ】図１Ａは、図１の眼保護デバイスの１Ａ−１Ａ線に沿った拡大断面図である。
【図２】図２は、図１の例示的な実施例の斜視図であり、レンズフレームが開位置にある状態を示す。
【図３】図３は、図１の眼保護デバイスに使用されているヒンジの例示的な実施例を拡大して示す側面図である。
【図４】図４は、図３の例示的なヒンジの実施例を拡大して示す側面図であり、ヒンジが部分的に開いた位置にある。
【図５】図５は、図３の例示的なヒンジの実施例を拡大して示す側面図であり、ヒンジが完全に開いた位置にある。
【図６】図６は、完全に開位置にある例示的なヒンジの実施例を拡大して示す背面図である。
【図１】
2007533399.tif 000003
【図１Ａ】
2007533399.tif 000004
【図２】
2007533399.tif 000005
【図３】
2007533399.tif 000006
【図４】
2007533399.tif 000007
【図５】
2007533399.tif 000008
【図６】
2007533399.tif 000009
【国際調査報告】
2007533399.tif 000010